(57)【要約】【課題】電子機器において、簡素な構成で、ケーブルの抜去を困難にする。【解決手段】筐体１０と、この筐体１０に設けられ、ケーブル１００のコネクタ１２０が接続される接続端子２０と、を備える電子機器１であって、筐体１０は、接続端子２０に接続された状態のコネクタ１２０の周囲に設けられコネクタ１２０の把持を阻止する壁部１２ａを有する。【選択図】図３
2018137355.tif 000002
【特許請求の範囲】
【請求項１】
筐体と、
前記筐体に設けられ、ケーブルのコネクタが接続される接続端子と、
を備える電子機器であって、
前記筐体は、前記接続端子に接続された状態の前記コネクタの周囲に設けられ当該コネクタの把持を阻止する壁部を有する、
ことを特徴とする電子機器。
【請求項２】
前記接続端子には、Ｌ字状の前記コネクタが接続され、
前記壁部は、前記コネクタの接続方向に直交する前記ケーブルの長手方向に亘って設けられている、
ことを特徴とする請求項１記載の電子機器。
【請求項３】
前記コネクタの前記接続方向への前記壁部からの突出量は、前記コネクタの接続方向の長さの半分未満であることを特徴とする請求項２記載の電子機器。
【請求項４】
前記筐体は、前記接続端子が設けられた凹部を更に有し、
前記凹部は、前記筐体の外周面のうち前記電子機器の設置面側の端部に設けられ、
前記コネクタは、前記電子機器が前記設置面から遠ざかった状態或いは傾いた状態において、前記接続端子に接続されたまま、前記壁部に沿った第１の位置と、前記壁部から離隔することで当該壁部との間に把持のための隙間を生じさせる第２の位置と、に前記接続方向を回動中心として回動可能であり、
前記コネクタは、前記電子機器が前記設置面に設置された状態において、前記第１の位置から前記第２の位置へは回動不能である、
ことを特徴とする請求項２又は３記載の電子機器。
【請求項５】
前記筐体は、前記接続端子が設けられた凹部を更に有し、
前記壁部は、前記凹部の周囲に位置し、前記筐体の表面から突出する、
ことを特徴とする請求項１から３のいずれか１項記載の電子機器。
【請求項６】
前記筐体は、前記接続端子が設けられた凹部を更に有し、
前記壁部は、前記凹部内の壁面である、
ことを特徴とする請求項１から３のいずれか１項記載の電子機器。
【発明の詳細な説明】
【技術分野】
【０００１】
本発明は、ケーブルのコネクタが接続される接続端子を備える電子機器に関する。
【背景技術】
【０００２】
従来、電子機器の稼働中に、機器内部のコンピュータの処理に時間を要したり、或いは、ハングアップが生じたりすると、通常、ユーザは、リセットボタンの押下によりコンピュータの再起動を行う。しかし、特に、リセットボタンが電子機器の底面に位置する場合や、リセットボタンが蓋で覆われている場合には、ユーザが、リセットボタンを押下するのに代えて、電源ケーブルを接続端子から一旦引き抜いて再度差し込むことでコンピュータの再起動を行うことがある。このような電源ケーブルの抜き差しによる再起動を行うと、メモリ消去やデータ破損が生じることがある。
【０００３】
なお、電源ケーブルの断線や変形を防止するための技術ではあるが、装置の端子接続部に抜け止め部品を挟んでライトアングル形式の電源ケーブルを接続する構造によって、ある一定以上の引き抜き荷重が電源ケーブルに加わった場合に電源ケーブル及び抜け止め部品を装置から離脱させる技術が提案されている（例えば、特許文献１参照）。
【先行技術文献】
【特許文献】
【０００４】
【特許文献１】特開２０１６−６２６４３号公報
【発明の概要】
【発明が解決しようとする課題】
【０００５】
上記の抜け止め部品を用いた技術は、そもそも電源ケーブルを容易に抜去することができるため、ユーザがリセットボタンの押下に代えて電源ケーブルの抜き差しを行うのを防止することができない。また、抜け止め部品を用いるため、構造が複雑になる。なお、ケーブルのコネクタを接続端子に接続した後にコネクタを端子固定具などで電子機器に固定することも考えられるが、このように固定具を用いると、上記の抜け止め部品を用いる場合と同様に、構造が複雑になる。
【０００６】
本発明の目的は、このような点に鑑みてなされたものであり、簡素な構成で、ケーブルの抜去を困難にすることができる電子機器を提供することである。
【課題を解決するための手段】
【０００７】
１つの態様では、電子機器は、筐体と、前記筐体に設けられ、ケーブルのコネクタが接続される接続端子と、を備える電子機器であって、前記筐体は、前記接続端子に接続された状態の前記コネクタの周囲に設けられ当該コネクタの把持を阻止する壁部を有する。
【発明の効果】
【０００８】
前記態様によれば、簡素な構成で、ケーブルの抜去を困難にすることができる。
【図面の簡単な説明】
【０００９】
【図１】第１実施形態に係る電子機器を示す斜視図（その１）である。
【図２】第１実施形態に係る電子機器を示す斜視図（その２）である。
【図３】第１実施形態に係る電子機器を示す右側面図である。
【図４】第１実施形態における壁部を説明するための斜視図である。
【図５】第１実施形態におけるケーブルの抜去を説明するための右側面図である。
【図６】第２実施形態に係る電子機器を示す斜視図である。
【図７】第２実施形態に係る電子機器を示す右側面図である。
【図８】第２実施形態におけるケーブルの抜去を説明するための右側面図である。
【発明を実施するための形態】
【００１０】
以下、本発明の第１実施形態及び第２実施形態に係る電子機器について、図面を参照しながら説明する。
【００１１】
＜第１実施形態＞
図１及び図２は、第１実施形態に係る電子機器１を示す斜視図である。
【００１２】
図３は、電子機器１を示す右側面図である。
なお、図１〜図３及び後述する図４〜図７には、説明の便宜上、前後方向、左右方向、及び上下方向を図示する。一例ではあるが、前後左右の方向は水平方向であり、上下の方向は鉛直方向である。
【００１３】
図１〜図３に示すように、電子機器１は、筐体１０と、接続端子２０と、表示部３０と、入力操作部４０と、磁気カードリーダ５０と、スピーカ６０と、を備える。電子機器１は、磁気カードリーダ５０を備える情報処理端末であるが、後述するケーブル１００のコネクタ１２０が接続される接続端子２０と、筐体１０とを備えるものであればよく、他の電子機器であってもよい。
【００１４】
筐体１０は、筐体上部１１及び筐体下部１２を有し、筐体上部１１の前面に設けられた開閉レバー１１ａが押されることにより、筐体上部１１が前部から上方に開放し、筐体１０の内部が露出する。筐体１０の内部には、例えばロール状の用紙が収容されている。この用紙は、筐体上部１１の前面に設けられた排出口１１ｂから排出される。なお、筐体１０は、筐体上部１１と筐体下部１２とに分離していない構造であってもよい。
【００１５】
図１及び図２に示すように、表示部３０は、筐体上部１１の上面に設けられており、電子機器１の各種の情報を表示する。表示部３０は、タッチパネルを有することで入力部として機能してもよい。
【００１６】
入力操作部４０は、筐体上部１１の上面において表示部３０の前方に設けられている。入力操作部４０は、テンキー等の各種操作部を有し、ユーザからの操作を受け付ける入力部として機能する。
【００１７】
磁気カードリーダ５０は、筐体上部１１の右側に配置され、磁気カードリーダ５０の後方から前方に挿入される磁気カードの磁気情報を読み取る。
【００１８】
スピーカ６０は、筐体１０の内部に設けられ、筐体下部１２の右側面の複数の孔から音声を出力する。
【００１９】
図３に示すように、筐体下部１２の右側面（筐体１０の外周面の一例）の中央より後ろ側には、凹部１２ｂが設けられている。なお、筐体１０の外周面とは、電子機器１の設置面Ｓ側の面（底面）及びこの面に対向する面（上面）を除く面（前後左右の面）である。
【００２０】
電子機器１は、二点鎖線で示す例えば水平な設置面Ｓに設置されており、凹部１２ｂは、筐体１０のうち、設置面Ｓ側の端部の一例である下端に設けられている。設置面Ｓは、電子機器１の前後左右に拡がる水平な面であるが、水平に対して傾きを有する面（例えば鉛直面）であってもよい。
【００２１】
凹部１２ｂには、ケーブル１００のコネクタ１２０が接続される接続端子２０が設けられている。なお、ケーブル１００は、例えば電源ケーブルであり、ケーブル本体１１０及びコネクタ１２０を有する。コネクタ１２０は、ケーブル１００の一端（ケーブル本体１１０の一端）に位置し、Ｌ字状を呈する。すなわち、ケーブル１００は、ライトアングルケーブルである。但し、ケーブル１００は、ライトアングルケーブル以外のケーブルであってもよい。
【００２２】
凹部１２ｂの前部及び上部には、筐体下部１２の右側面（筐体１０の表面の一例）から突出する壁部１２ａが設けられている。この壁部１２ａは、凹部１２ｂの周囲において凹部１２ｂの前部から凹部１２ｂの上部にかけて湾曲して延び、凹部１２ｂの上部から筐体下部１２の後端まで、ケーブル１００の長手方向（前後方向）に亘って延びる。なお、ケーブル１００の長手方向（前後方向）は、コネクタ１２０の接続方向（左右方向）に直交する方向である。
【００２３】
壁部１２ａは、凹部１２ｂの前部及び上部に設けられていることで、接続端子２０に接続された状態のコネクタ１２０の周囲（前部及び上部）に設けられている。これにより、壁部１２ａは、図４に示すように、ユーザの指２０１，２０２によるコネクタ１２０の把持を阻止する。なお、このようにコネクタ１２０の把持を阻止するためには、壁部１２ａとコネクタ１２０との間に、指２０１，２０２がコネクタ１２０を挟み込む隙間がない状態（例えば５ｍｍ以下の間隔）であることが望ましい。また、コネクタ１２０の挿入方向（左右方向）とケーブル１００の長手方向（前後方向）とに直交する方向（上下方向）において、少なくともコネクタ１２０の片側（上側）に壁部１２ａが設けられていることが望ましい。また、壁部１２ａは、コネクタ１２０のうち接続端子２０に対向する部分（前端）の周囲に設けられていることが望ましい。また、ケーブル１００の長手方向（前後方向）において、壁部１２ａの長さは、コネクタ１２０の長さの半分以上の長さであることが望ましい。なお、壁部１２ａ及び凹部１２ｂは、筐体１０（筐体下部１２）の右側面に設けられるが、筐体１０の底面などの他の面に設けられてもよい。
【００２４】
コネクタ１２０は、接続端子２０に接続された状態で、図３に示す右側面視において凹部１２ｂ内に収まるように位置し、平面視及び正面視においては壁部１２ａから一部が挿入方向（右側）に突出する。ユーザの指２０１，２０２によるコネクタ１２０の把持を阻止するためには、コネクタ１２０（特に、コネクタ１２０のうち接続端子２０に対向する部分）は、接続方向である右方向への壁部１２ａからの突出量が、コネクタ１２０の左右方向の長さの半分未満或いは把持が困難な長さ（例えば５ｍｍ以下）となることが望ましい。
【００２５】
図５に示すように、ユーザが電子機器１を持ち上げることで電子機器１が設置面Ｓから遠ざかった状態或いは傾いた状態において、コネクタ１２０は、接続端子２０に接続されたまま、壁部１２ａに沿った第１の位置Ｐ１（図１〜図４参照）と、凹部１２ｂから設置面Ｓ側にはみ出して壁部１２ａから離隔した第２の位置Ｐ２と、に接続方向（左右方向）を回動中心として回動可能になる。また、コネクタ１２０は、第２の位置Ｐ２において、壁部１２ａ（凹部１２ｂの上部）との間にユーザの指２０１，２０２による把持のための隙間Ｇを生じさせる。
【００２６】
一方、コネクタ１２０は、電子機器１が設置面Ｓに設置された状態においては、第１の位置Ｐ１から第２の位置Ｐ２へは回動不能である。このようにコネクタ１２０が回動不能である場合には、コネクタ１２０が設置面Ｓに接触する場合のほか、ケーブル本体１１０が設置面Ｓに接触する場合もあり得る。
【００２７】
そのため、ユーザは、コネクタ１２０を抜去する際には、電子機器１を持ち上げた後、コネクタ１２０を第２の位置Ｐ２に回動させることで、コネクタ１２０を指２０１，２０２により把持し、コネクタ１２０を抜去することになる。
【００２８】
以上説明した第１実施形態では、電子機器１は、筐体１０と、この筐体１０に設けられ、ケーブル１００のコネクタ１２０が接続される接続端子２０と、を備える。また、筐体１０は、接続端子２０に接続された状態のコネクタ１２０の周囲に設けられコネクタ１２０の把持を阻止する壁部１２ａを有する。
【００２９】
このように壁部１２ａがコネクタ１２０の把持を阻止するため、壁部１２ａを用いた簡素な構成で、ユーザ（指２０１，２０２）によるケーブル１００の抜去を困難にすることができる。更には、ケーブル１００の抜去を困難にすることによって、電子機器１の稼働中に、機器内部のコンピュータの処理に時間を要したり、或いは、ハングアップが生じたりしても、ユーザが再起動のためにリセットボタンの押下に代えてケーブル１００の抜去を選択するのを抑制することができる。すなわち、リセットボタンの押下という再起動のための正常な操作へユーザを誘導することができる。そのため、メモリ消去やデータ破損が生じるのを抑制することもできる。
【００３０】
また、本第１実施形態では、接続端子２０には、Ｌ字状のコネクタ１２０が接続され、壁部１２ａは、コネクタ１２０の接続方向（左右方向）に直交するケーブル１００の長手方向（前後方向）に亘って設けられている。これにより、壁部１２ａは、コネクタ１２０の挿入方向（左右方向）とケーブル１００の長手方向（前後方向）とに直交する方向（上下方向）の上側（少なくとも片側）においてコネクタ１２０の把持を阻止することができる。したがって、ケーブル１００の抜去をより困難にすることができる。
【００３１】
また、本第１実施形態では、コネクタ１２０の接続方向（右方向）への壁部１２ａからの突出量は、コネクタ１２０の接続方向（左右方向）の長さの半分未満である。これにより、ケーブル１００の抜去をより困難にすることができる。
【００３２】
また、本第１実施形態では、筐体１０は、接続端子２０が設けられた凹部１２ｂを更に有し、この凹部１２ｂは、筐体１０の外周面（右側面）のうち電子機器１の設置面Ｓ側の端部（下端）に設けられている。また、コネクタ１２０は、電子機器１が設置面Ｓから遠ざかった状態或いは傾いた状態において、接続端子２０に接続されたまま、壁部１２ａに沿った第１の位置Ｐ１と、壁部１２ａから離隔することで当該壁部１２ａとの間に把持のための隙間Ｇを生じさせる第２の位置Ｐ２と、に接続方向（左右方向）を回動中心として回動可能である。また、コネクタ１２０は、電子機器１が設置面Ｓに設置された状態において、第１の位置Ｐ１から第２の位置Ｐ２へは回動不能である。これにより、ユーザは、コネクタ１２０を抜去するために、電子機器１を設置面Ｓから遠ざけるか或いは傾けた後にコネクタ１２０を第２の位置Ｐ２に回動させるという作業を伴うことになる。したがって、ケーブル１００の抜去をより困難にすることができる。
【００３３】
また、本第１実施形態では、壁部１２ａは、凹部１２ｂの周囲に位置し、筐体１０の右側面（表面の一例）から突出する。そのため、壁部１２ａを用いた簡素な構成で、ケーブル１００の抜去を困難にすることができる。また、凹部１２ｂ内の壁面を壁部として機能させる場合（後述する第２実施形態における凹部１２ｃの壁部１２ｃ−１参照）と比較して、凹部１２ｂを左右方向に深くせずに、突出する壁部１２ａによってコネクタ１２０の把持を阻止することができる。したがって、筐体１０内のスペースが凹部１２ｂの形成によって狭くなるのを抑制することができる。更には、壁部１２ａが凹部１２ｂの上部に位置する場合には、凹部１２ｂの上部から接続端子２０に水が浸入するのを壁部１２ａによって防止することもできる。
【００３４】
＜第２実施形態＞
図６は、第２実施形態に係る電子機器２を示す斜視図である。
図７は、電子機器２を示す右側面図である。
【００３５】
本第２実施形態では、上述の第１実施形態における壁部１２ａを省略し、凹部１２ｃの壁面が壁部１２ｃ−１として機能する点において上述の第１実施形態と相違し、その他の点は同様にすることができる。そのため、重複する説明は省略する。なお、図６及び図７に示すように、筐体１０の右側面には、上述の第１実施形態における図１〜図５に示すスピーカ６０が省略されているが、このスピーカ６０が同様に設けられていてもよい。
【００３６】
図７に示すように、筐体下部１２の右側面の後端には、凹部１２ｃが設けられている。電子機器２は、二点鎖線で示す例えば水平な設置面Ｓに設置されており、凹部１２ｃは、筐体１０のうち設置面Ｓ側の端部の一例である下端に設けられている。なお、本第２実施形態では、上述の第１実施形態とは異なり、凹部１２ｃは、筐体１０の後端に設けられているが、他の位置に設けられていてもよい。
【００３７】
凹部１２ｃには、ケーブル１００のコネクタ１２０が接続される接続端子２０が設けられている。また、凹部１２ｃ内の前部及び上部に位置する壁部１２ｃ−１は、凹部１２ｃの前部から凹部１２ｃの上部にかけて湾曲して延び、凹部１２ｃの上部は、コネクタ１２０の接続方向（左右方向）に直交するケーブル１００の長手方向（前後方向）に亘って延びる。このように、壁部１２ｃ−１は、接続端子２０に接続された状態のコネクタ１２０の周囲（前部及び上部）に設けられている。これにより、壁部１２ｃ−１は、コネクタ１２０の把持を阻止する。なお、このようにコネクタ１２０の把持を阻止するためには、壁部１２ｃ−１とコネクタ１２０との間に、指２０１，２０２がコネクタ１２０を挟み込む隙間がない状態（例えば５ｍｍ以下の間隔）であることが望ましい。
【００３８】
コネクタ１２０は、接続端子２０に接続された状態で、図７に示す右側面視において凹部１２ｃ内に収まるように位置し、平面視及び正面視においては凹部１２ｃから突出しないか或いは一部のみが右側に突出する。そのため、凹部１２ｃは、上述の第１実施形態のように壁部１２ａが設けられていない分、第１実施形態における凹部１２ｂよりも左右方向の深さが深いことが望ましい。
【００３９】
なお、ユーザの指２０１，２０２によるコネクタ１２０の把持を阻止するためには、コネクタ１２０（特にコネクタ１２０のうち接続端子２０に対向する部分）は、接続方向である右方向への凹部１２ｃからの突出量が、コネクタ１２０の左右方向の長さの半分未満或いは把持が困難な長さ（例えば５ｍｍ未満）となることが望ましい。また、コネクタ１２０の挿入方向（左右方向）とケーブル１００の長手方向（前後方向）とに直交する方向（上下方向）において、少なくともコネクタ１２０の片側（上側）に壁部１２ｃ−１が設けられていることが望ましい。
【００４０】
また、壁部１２ｃ−１は、コネクタ１２０のうち接続端子２０に対向する部分（前端）の周囲に設けられることが望ましい。また、ケーブル１００の長手方向（前後方向）において、壁部１２ｃ−１の長さは、コネクタ１２０の長さの半分以上の長さであることが望ましい。
【００４１】
図８に示すように、ユーザが電子機器２を持ち上げることで電子機器２が設置面Ｓから遠ざかった状態或いは傾いた状態において、コネクタ１２０は、接続端子２０に接続されたまま、壁部１２ｃ−１（凹部１２ｃの上部）に沿った第１の位置Ｐ１（図６及び図７参照）と、凹部１２ｃから設置面Ｓ側にはみ出して壁部１２ｃ−１から離隔した第２の位置Ｐ２と、に接続方向（左右方向）を回動中心として回動可能になる。また、コネクタ１２０は、第２の位置Ｐ２において、壁部１２ｃ−１（凹部１２ｃの上部）との間にユーザの指２０１，２０２による把持のための隙間Ｇを生じさせる。一方、コネクタ１２０は、電子機器２が設置面Ｓに設置された状態においては、第１の位置Ｐ１から第２の位置Ｐ２へは回動不能である。
【００４２】
そのため、ユーザは、コネクタ１２０を抜去する際には、電子機器２を持ち上げた後、コネクタ１２０を第２の位置Ｐ２に回動させることで、コネクタ１２０を指２０１，２０２により把持し、コネクタ１２０を抜去することになる。
【００４３】
以上説明した第２実施形態によっても、上述の第１実施形態と同様の事項については同様の効果、すなわち、簡素な構成で、ケーブル１００の抜去を困難にすることができるという効果などを得ることができる。
【００４４】
また、本第２実施形態では、壁部１２ｃ−１は、凹部１２ｃ内の壁面である。このように、接続端子２０が設けられた凹部１２ｃの壁面を壁部１２ｃ−１として用いることで、上述の第１実施形態における、筐体１０の表面から突出する壁部１２ａを省略することができ、電子機器２をより簡素な構成にすることができる。
【００４５】
なお、本発明は、上述した実施の形態そのままに限定されるものではなく、実施段階でのその要旨を逸脱しない範囲で構成要素を変形して具体化することができる。また、実施の形態に開示されている複数の構成要素の適宜な組み合わせにより、種々の発明を形成することができる。例えば、実施の形態に示される全構成要素を適宜組み合わせてもよい。このように、発明の趣旨を逸脱しない範囲内において種々の変形や応用が可能である。
【符号の説明】
【００４６】
１，２      電子機器
１０      筐体
１１      筐体上部
１１ａ      開閉レバー
１１ｂ      排出口
１２      筐体下部
１２ａ      壁部
１２ｂ，１２ｃ      凹部
１２ｃ−１      壁部
２０      接続端子
３０      表示部
４０      入力操作部
５０      磁気カードリーダ
６０      スピーカ
１００      ケーブル
１１０      ケーブル本体
１２０      コネクタ
２０１，２０２      指
Ｇ      把持のための隙間
Ｐ１      第１の位置
Ｐ２      第２の位置
Ｓ      設置面
【図１】
2018137355.tif 000003
【図２】
2018137355.tif 000004
【図３】
2018137355.tif 000005
【図４】
2018137355.tif 000006
【図５】
2018137355.tif 000007
【図６】
2018137355.tif 000008
【図７】
2018137355.tif 000009
【図８】
2018137355.tif 000010